(57)【特許請求の範囲】
【請求項１】
一方端部が開口した外筒（２）と、一方端部が開口した内筒（３）を有し、
前記外筒（２）と前記内筒（３）がそれぞれの開口側端部（２１，３１）において連通しており、
前記外筒（２）と前記内筒（３）は２つの円筒からなるものであって、それぞれの開口側端部（２１，３１）同士を接続させ、通常時は前記内筒（３）が前記外筒（２）内に位置するように形成したものであり、
使用時には前記開口側端部（２１，３１）同士は使用者の足首部まで引き上げられるものであり、
前記外筒（２）と前記内筒（３）が互いにスライド可能である
ことを特徴とするウエットスーツ着脱補助具（１）。
【請求項２】
一方端部が開口した外筒（２Ａ）と、一方端部が開口した内筒（３Ａ）を有し、
前記外筒（２Ａ）と前記内筒（３Ａ）がそれぞれの開口側端部（２１Ａ，３１Ａ）において連通しており、
前記外筒（２Ａ）と前記内筒（３Ａ）はもともとは１つの円筒からなるものであって、前記開口側端部（２１Ａ，３１Ａ）において折り曲げてなり、通常時は前記内筒（３Ａ）が前記外筒（２Ａ）内に位置するように形成したものであり、
使用時には前記開口側端部（２１Ａ，３１Ａ）同士は使用者の足首部まで引き上げられるものであり、
前記外筒（２Ａ）と前記内筒（３Ａ）が互いにスライド可能である
ことを特徴とするウエットスーツ着脱補助具（１Ａ）。
【請求項３】
前記外筒（２，２Ａ）と前記内筒（３，３Ａ）の前記開口側端部（２１，３１；２１Ａ，３１Ａ）の反対側端部（２３，３２；２３Ａ，３２Ａ）は、小開口（２５，３３；２５Ａ，３３Ａ）を残して閉じられている請求項１又は２記載のウエットスーツ着脱補助具（１，１Ａ）。
【請求項４】
前記外筒（２，２Ａ）と前記内筒（３，３Ａ）の素材がポリエステル又はナイロンの布帛である請求項１〜３のいずれかに記載のウエットスーツ着脱補助具（１，１Ａ）。
【請求項５】
前記開口側端部（２１，３１；２１Ａ，３１Ａ）付近にゴムバンド（２２，２２Ａ）を取り付けた請求項１〜４のいずれかに記載のウエットスーツ着脱補助具（１，１Ａ）。
【発明の詳細な説明】
【技術分野】
【０００１】
本発明は、ウエットスーツを着脱するときに使用する補助具に関する。
【背景技術】
【０００２】
一般に、ウエットスーツは、海水が浸入しないような水密性や緊縮性を備えていることが必要であるので、足首部や手首部は、細くしっかりと締まる形状となっている。近時においては、さらに、身体との水密性、保温性、運動性、フィット感などの見地から、種々の生地素材が開発されると共に、縫製技術の進歩に伴いその緊縮性を強化させたウエットスーツが開発されている。
【０００３】
このようなウエットスーツを着衣・脱衣するとき、素肌に対するウエットスーツ内部表面の摩擦抵抗が極めて大きなものとなる。特に、ウエットスーツの足首部、手首部に手足を通したり、濡れた状態で手足を抜き取ったりする動作は、手や踵がひっかかるので、熟練者でさえ手間取るものであり、ビギナーではなおさらであった。
【０００４】
また、このとき、ウエットスーツを部分的にひっぱりながら行うが、過剰な引き伸ばしにより、縫製部の破損やほつれ、生地の裂傷を引き起こすこともあった。さらに、寒冷地で脱衣に手間取れば、体温が下がり、不快である。船上の場合は、足元が不安定となって危険でもある。
【０００５】
この問題を解決するためには、ウエットスーツ内部表面の摩擦抵抗を減らすことが効果的であり、その目的で下記特許文献１〜４のような補助具が提案されている。これらはいずれも摩擦係数の小さい袋状又は筒状の補助具を足首部、手首部にあてがうことにより、これらの部位におけるウエットスーツと素肌との摩擦抵抗を減らそうとするものである。
【先行技術文献】
【特許文献】
【０００６】
【特許文献１】米国特許第４４３８５３１号
【特許文献２】米国公開第２００９／０２２４０１１号
【特許文献３】特表２００１―５１２７０８
【特許文献４】実用新案登録第３１０３３３８号
【発明の概要】
【発明が解決しようとする課題】
【０００７】
一般にウエットスーツの表面はラバー（スキン）タイプとジャージタイプの２種類がある。
【０００８】
ジャージタイプは、ナイロンやポリエステルのニット素材でできているため、摩擦抵抗は小さい。このタイプであれば、前記従来技術の補助具でもほぼ満足すべき結果が得られる。
【０００９】
しかし、ウエットスーツがラバー（スキン）タイプのときには、もともと摩擦抵抗が大きいので、前記従来技術の補助具を使用してもなお摩擦抵抗はかなり大きいものがある（後記する［0030］表１の(2)参照）。
【００１０】
本発明は、ウエットスーツがジャージタイプはもちろん、ラバー（スキン）タイプのときでも、摩擦抵抗を減らすことのできるウエットスーツ着脱補助具を提供することを目的とする。
【課題を解決するための手段】
【００１１】
本発明のウエットスーツ着脱補助具１は、一方端部が開口した外筒２と、一方端部が開口した内筒３を有し、前記外筒２と前記内筒３がそれぞれの開口側端部２１，３１において連通しており、前記外筒２と前記内筒３は２つの円筒からなるものであって、それぞれの開口側端部２１，３１同士を接続させ、通常時は前記内筒３が前記外筒２内に位置するように形成したものであり、使用時には前記開口側端部２１，３１同士は使用者の足首部まで引き上げられるものであり、前記外筒２と前記内筒３が互いにスライド可能であることを特徴とする（請求項１）。
【００１２】
別態様では、本発明のウエットスーツ着脱補助具１Ａは、一方端部が開口した外筒２Ａと、一方端部が開口した内筒３Ａを有し、前記外筒２Ａと前記内筒３Ａがそれぞれの開口側端部２１Ａ，３１Ａにおいて連通しており、前記外筒２Ａと前記内筒３Ａはもともとは１つの円筒からなるものであって、前記開口側端部２１Ａ，３１Ａにおいて折り曲げてなり、通常時は前記内筒３Ａが前記外筒２Ａ内に位置するように形成したものであり、使用時には前記開口側端部２１Ａ，３１Ａ同士は使用者の足首部まで引き上げられるものであり、前記外筒２Ａと前記内筒３Ａが互いにスライド可能であることを特徴とする（請求項２）。
【００１４】
好ましくは、前記外筒２，２Ａと前記内筒３，３Ａの前記開口側端部２１，３１；２１Ａ，３１Ａの反対側端部２３，３２；２３Ａ，３２Ａは、小開口２５，３３；２５Ａ，３３Ａを残して閉じられている（請求項４）。
【００１５】
好ましくは、前記外筒２，２Ａと前記内筒３，３Ａの素材がポリエステル又はナイロンの布帛である（請求項５）。
【００１６】
好ましくは、前記開口側端部２１，３１；２１Ａ，３１Ａ付近にゴムバンド２２，２２Ａを取り付ける（請求項６）。
【発明の効果】
【００１７】
本発明のウエットスーツ着脱補助具は、外筒と内筒の二重構造なので、ウエットスーツは外筒とのみ接触し、人の手や足は内筒のみに接触する。外筒と内筒は互いにスライドしながら、手や足をウエットスーツから脱出させることができる。ウエットスーツがラバー（スキン）タイプであっても、補助具の内筒はウエットスーツにほとんど接触しないので、従来技術の問題点が解消される。
【００１８】
ウエットスーツ着脱の時間が短縮されれば前記したような不快感を減少させることができるだけでなく、例えばトライアスロンなどのタイムを争う競技において有利な立場に立つことができる。
【００１９】
以下、添付の図面に基づき、本発明の１実施例を説明する。
【図面の簡単な説明】
【００２０】
【図１】本発明の実施例１に係るウエットスーツ着脱補助具（通常時）の（ａ）正面図、（ｂ）側面図、（ｃ）背面図である。
【図２】図１（ａ）のＡ−Ａ線部分断面図であり、（ａ）Ｂ−Ｂ部分及び（ｂ）Ｃ−Ｃ部分である。
【図３】同実施例に係るウエットスーツ着脱補助具（補助具使用時の一形態）の（ａ）正面図、（ｂ）Ｄ−Ｄ線断面図である。
【図４】図３のＤ−Ｄ線部分断面図であり、（ａ）Ｅ−Ｅ部分、（ｂ）Ｆ−ＦとＧ−Ｇの間の部分、（ｃ）Ｈ−Ｈ部分である。
【図５】（ａ）〜（ｅ）は、同実施例に係るウエットスーツ着脱補助具を使用してウエットスーツを脱衣する各段階を示す側面図である。
【図６】図５（ｅ）段階のウエットスーツ着脱補助具の断面図である。
【図７】図５（ｄ）段階のウエットスーツ着脱補助具の断面図である。
【図８】実施例２に係るウエットスーツ着脱補助具（補助具使用時の一形態）の（ａ）正面図、（ｂ）Ｉ−Ｉ線断面図である。
【図９】図８（ｂ）のＩ−Ｉ線断面図におけるＪ−ＪとＫ−Ｋの間の部分拡大断面図である。
【実施例１】
【００２１】
本実施例のウエットスーツ着脱補助具１（以下、単に「補助具１」ということがある）は、通常時（不使用時や使用開始時）は図１のような外観であるが、ウエットスーツ着脱操作中に図３のような形態となる。すなわち、図１に実線と破線で示したように、細長い外筒２（図３の下半分）の中に、一端（図３の中央部）がつながれた状態で、ほぼ同形状の内筒３（図３の上半分）が収納されている。
【００２２】
外筒２と内筒３が互いに接続する側の開口端部２１，３１は周囲が全体的に縫合されており、内側空間は連通している。開口端部２１，３１の付近（例えば外筒２の接続側端部２１）に、ずれ落ちを防ぐためのゴムバンド２２が取り付けられている。
【００２３】
外筒２の反接続側端部２３には、リング状の取っ手２４が設けられている。取っ手２４は、使用中に指で引っ張ったり、水洗い後乾燥させたりするときに使用する。この反接続側端部２３は閉鎖されているが、水洗いしたり乾燥させたりするときのために水抜き用の小開口２５が設けられている。外筒２は、反接続側端部２３が開口した、完全に筒状のものであってもよい。
【００２４】
内筒３の反接続側端部３２も閉じられているが、水洗いしたり乾燥させたりするときのために水抜き用の小開口３３が設けられている。外筒２と同様、内筒３も反接続側端部３２が開口した、完全に筒状のものであってもよい。
【００２５】
ウエットスーツを足から外すときを例にして、この補助具の使用法を図５〜７に基づいて説明する。
【００２６】
図５（ａ）では、着用者はウエットスーツ４の足首部先端４１をめくりあげている。
【００２７】
図５（ｂ）では、靴下をはくときのように、補助具の接続側の開口端部２１、３１に素足５を入れる。そして、めくりあげていたウエットスーツ４の足首部先端４１を下す。
【００２８】
図５（ｃ）では、着用者はウエットスーツ４をめくるようにして上から下げていくので、ウエットスーツ４の生地の表と裏が反転したような状態となっている。素足５を引き上げていくと、外筒２はウエットスーツ内に残され、素足に連れられて内筒３が外に露出するようになる。ウエットスーツ４と外筒２の間及び素足５と内筒３の間は摩擦抵抗が大きいのに対して、外筒２と内筒３の間の摩擦抵抗は小さいからである。図６がこの状態の拡大断面図である。ウエットスーツ４と素足５の直接接触が避けられ、外筒２と内筒３の表面同士が互いにスライドしているのがわかる。
【００２９】
図５（ｄ）では、内筒３がますます外に出てくるので、着用者は簡単に素足５を抜くことができる。図７がこの状態の拡大断面図である。
【００３０】
図５（ｅ）では、素足５を抜き取った後、補助具１をウエットスーツ４から取り出している。素足５が抜け出て、補助具１はしぼんだ状態であるので簡単に取り出すことができる。
【００３１】
補助具とウエットスーツの関係を整理すれば次のとおりである。
【００３２】
【表１】
0006537878.tif 000002
【００３３】
本発明において、摩擦抵抗を減らすうえで補助具の材質選択は大切な一要素である。補助具の素材としては、濡れた状態でも表１の(3)の摩擦抵抗をできるだけ小さくすることのできる素材が好ましい。具体的にはポリエステル、ナイロン、テトロンなどの布帛である。例えば、経糸＃50、緯糸＃75のエステルタフタ4050を使用することができる。
【実施例２】
【００３４】
図８、図９は実施例２に係るウエットスーツ着脱補助具を示している。実施例１と異なるのは、外筒２Ａと内筒３Ａがもともとは１つの円筒からなっていることである。開口側端部２１Ａ，３１Ａ付近にゴムバンド２２Ａが取り付けられている。この補助具１Ａを使用する前には、開口側端部２１Ａ，３１Ａにおいて折り曲げ、内筒３Ａが外筒２Ａ内に位置するようにしておく。その他の構成及び使用法は実施例１と同様である。
【符号の説明】
【００３５】
１，１Ａ      ウエットスーツ着脱補助具
２，２Ａ      外筒
２１，２１Ａ  接続側端部（開口側端部）
２２，２２Ａ  ゴムバンド
２３，２３Ａ  反接続側端部
２４，２４Ａ  取っ手
２５，２５Ａ   小開口
３，３Ａ      内筒
３１，３１Ａ   接続側端部（開口側端部）
３２，３２Ａ   反接続側端部
３３，３３Ａ  小開口
４     ウエットスーツ
４１   足首部先端
【図１】
0006537878.tif 000003
【図２】
0006537878.tif 000004
【図３】
0006537878.tif 000005
【図４】
0006537878.tif 000006
【図５】
0006537878.tif 000007
【図６】
0006537878.tif 000008
【図７】
0006537878.tif 000009
【図８】
0006537878.tif 000010
【図９】
0006537878.tif 000011